(57)【要約】【課題】災害が発生した場合におけるネットワークからの情報取得を支援することが可能な無線通信システム、情報配信装置および通信制御方法を提供する。【解決手段】無線通信システム３０１は、１または複数の無線端末装置２０２と通信可能な情報配信装置と、上記情報配信装置に接続され、災害発生時の行動に関する行動情報を記憶する記憶装置とを備え、上記情報配信装置は、災害発生を示す災害情報を受信して、上記記憶装置から上記行動情報を取得し、取得した上記行動情報を無線端末装置２０２へ送信し、上記情報配信装置は、無線端末装置２０２の状態を示す端末情報を取得し、取得した上記端末情報に基づいて、上記行動情報の当該無線端末装置２０２への送信動作を変更する。【選択図】図２
2014192891.tif 000002
【特許請求の範囲】
【請求項１】
１または複数の無線端末装置と通信可能な情報配信装置と、
前記情報配信装置に接続され、災害発生時の行動に関する行動情報を記憶する記憶装置とを備え、
前記情報配信装置は、災害発生を示す災害情報を受信して、前記記憶装置から前記行動情報を取得し、取得した前記行動情報を前記無線端末装置へ送信し、
前記情報配信装置は、前記無線端末装置の状態を示す端末情報を取得し、取得した前記端末情報に基づいて、前記行動情報の前記無線端末装置への送信動作を変更する、無線通信システム。
【請求項２】
前記情報配信装置は、取得した前記端末情報に基づいて、前記記憶装置に記憶された前記行動情報のうちの一部または全部を選択し、選択した行動情報を前記無線端末装置へ送信する、請求項１に記載の無線通信システム。
【請求項３】
前記情報配信装置は、取得した前記端末情報に基づいて、前記記憶装置に記憶された前記行動情報または前記行動情報の概要情報を選択し、選択した情報を前記無線端末装置へ送信する、請求項２に記載の無線通信システム。
【請求項４】
前記情報配信装置は、前記行動情報を前記無線端末装置へ周期的に送信し、
前記情報配信装置は、取得した前記端末情報に基づいて、前記行動情報の送信周期を調整する、請求項１から請求項３のいずれか１項に記載の無線通信システム。
【請求項５】
前記情報配信装置は、前記無線端末装置のバッテリーの状態を示す端末情報を取得し、
前記情報配信装置は、前記無線端末装置のバッテリー残量が少ない場合、前記行動情報の送信周期を長く設定する、請求項４に記載の無線通信システム。
【請求項６】
前記情報配信装置は、前記行動情報を前記無線端末装置へ周期的に送信し、
前記情報配信装置は、取得した前記端末情報に基づいて、前記記憶装置に記憶された前記行動情報の重要度に応じた周期を設定し、設定した前記周期で対応の前記行動情報を前記無線端末装置へ送信する、請求項１から請求項５のいずれか１項に記載の無線通信システム。
【請求項７】
前記情報配信装置は、取得した前記端末情報の示す状態が所定条件を満たす場合に前記行動情報の前記無線端末装置への送信動作を変更し、前記送信動作を変更した後、新たに取得した前記端末情報の示す状態が前記所定条件を満たさなくなると、前記送信動作を変更前に戻す、請求項１から請求項６のいずれか１項に記載の無線通信システム。
【請求項８】
１または複数の無線端末装置と通信可能な情報配信装置であって、
前記無線端末装置の状態を示す端末情報を取得する端末情報取得部と、
災害発生を示す災害情報を受信して、災害発生時の行動に関する行動情報を記憶する記憶装置から前記行動情報を取得し、取得した前記行動情報を前記無線端末装置へ送信する行動情報配信部とを備え、
前記行動情報配信部は、前記端末情報取得部によって取得された前記端末情報に基づいて、前記行動情報の前記無線端末装置への送信動作を変更する、情報配信装置。
【請求項９】
１または複数の無線端末装置と通信可能な情報配信装置における通信制御方法であって、
災害発生を示す災害情報を受信して、災害発生時の行動に関する行動情報を記憶する記憶装置から前記行動情報を取得するステップと、
取得した前記行動情報を前記無線端末装置へ送信するステップと、
前記無線端末装置の状態を示す端末情報を取得するステップと、
取得した前記端末情報に基づいて、前記行動情報の前記無線端末装置への送信動作を変更するステップとを含む、通信制御方法。
【発明の詳細な説明】
【技術分野】
【０００１】
本発明は、無線通信システム、情報配信装置および通信制御方法に関し、特に、災害に関する情報を配信する無線通信システム、情報配信装置および通信制御方法に関する。
【背景技術】
【０００２】
移動通信システムでは、無線端末装置が通信可能なエリアであるセル、を形成する無線基地局装置による通信サービスが提供されている。
【０００３】
また、このような通信サービス等を利用したシステムとして、Ｍ２Ｍ（Machine to Machine）システムが知られている。Ｍ２Ｍシステムでは、無線機を搭載した機器同士が人間を介在せずに相互に情報をやり取りすることにより、自動販売機に内蔵されている商品の在庫状況が自動的にサーバ等に報告される等、自動的に機器の制御が行われる。
【０００４】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００５】
【特許文献１】特許第４２３７１３４号公報
【発明の概要】
【発明が解決しようとする課題】
【０００６】
このようなＭ２Ｍシステム等の通信システムを利用するユーザは、地震等の災害が発生した場合、各種情報を取得するために、たとえば所有する無線端末装置を用いてネットワークに接続しようとする。
【０００７】
しかしながら、無線端末装置の状態によっては、ネットワークからの情報を取得する動作を抑制する必要がある。たとえば、災害時には無線端末装置のバッテリーを充電することが困難な場合が多く、無線端末装置のバッテリー残量が少ない状態において無理に情報取得動作を行なわせると、無線端末装置のバッテリー切れによって情報入手等ができなくなってしまう。
【０００８】
この発明は、上述の課題を解決するためになされたもので、その目的は、災害が発生した場合におけるネットワークからの情報取得を支援することが可能な無線通信システム、情報配信装置および通信制御方法を提供することである。
【課題を解決するための手段】
【０００９】
（１）上記課題を解決するために、この発明のある局面に係わる無線通信システムは、１または複数の無線端末装置と通信可能な情報配信装置と、前記情報配信装置に接続され、災害発生時の行動に関する行動情報を記憶する記憶装置とを備え、前記情報配信装置は、災害発生を示す災害情報を受信して、前記記憶装置から前記行動情報を取得し、取得した前記行動情報を前記無線端末装置へ送信し、前記情報配信装置は、前記無線端末装置の状態を示す端末情報を取得し、取得した前記端末情報に基づいて、前記行動情報の前記無線端末装置への送信動作を変更する。
【００１０】
（８）上記課題を解決するために、この発明のある局面に係わる情報配信装置は、１または複数の無線端末装置と通信可能な情報配信装置であって、前記無線端末装置の状態を示す端末情報を取得する端末情報取得部と、災害発生を示す災害情報を受信して、災害発生時の行動に関する行動情報を記憶する記憶装置から前記行動情報を取得し、取得した前記行動情報を前記無線端末装置へ送信する行動情報配信部とを備え、前記行動情報配信部は、前記端末情報取得部によって取得された前記端末情報に基づいて、前記行動情報の前記無線端末装置への送信動作を変更する。
【００１１】
（９）上記課題を解決するために、この発明のある局面に係わる通信制御方法は、１または複数の無線端末装置と通信可能な情報配信装置における通信制御方法であって、災害発生を示す災害情報を受信して、災害発生時の行動に関する行動情報を記憶する記憶装置から前記行動情報を取得するステップと、取得した前記行動情報を前記無線端末装置へ送信するステップと、前記無線端末装置の状態を示す端末情報を取得するステップと、取得した前記端末情報に基づいて、前記行動情報の前記無線端末装置への送信動作を変更するステップとを含む。
【発明の効果】
【００１２】
本発明によれば、災害が発生した場合におけるネットワークからの情報取得を支援することができる。
【図面の簡単な説明】
【００１３】
【図１】図１は、本発明の実施の形態に係る無線通信システムの構成を示す図である。
【図２】図２は、本発明の実施の形態に係る無線通信システムによる行動情報の配信を示す図である。
【図３】図３は、本発明の実施の形態に係る無線通信システムの平時における利用形態の一例を示す図である。
【図４】図４は、本発明の実施の形態に係る無線通信システムにおける、無線端末装置による情報取得を示す図である。
【図５】図５は、本発明の実施の形態に係る無線通信システムにおける各装置のソフトウェア構成および管理制御の一例を示す図である。
【図６】図６は、本発明の実施の形態に係る無線通信システムにおけるゲートウェイ装置の構成を示す図である。
【図７】図７は、本発明の実施の形態に係るゲートウェイ装置が情報配信を行なう際の動作手順の一例を定めたフローチャートである。
【図８】図８は、本発明の実施の形態に係るゲートウェイ装置が送信動作設定の変更を行なう際の動作手順の一例を定めたフローチャートである。
【図９】図９は、本発明の実施の形態に係るゲートウェイ装置が送信動作設定の変更を行なう際の動作手順の一例を定めたフローチャートである。
【図１０】図１０は、本発明の実施の形態に係る無線通信システムにおける情報配信のシーケンスの一例を示す図である。
【発明を実施するための形態】
【００１４】
最初に、本発明の実施形態の内容を列記して説明する。
【００１５】
（１）上記課題を解決するために、この発明のある局面に係わる無線通信システムは、１または複数の無線端末装置と通信可能な情報配信装置と、前記情報配信装置に接続され、災害発生時の行動に関する行動情報を記憶する記憶装置とを備え、前記情報配信装置は、災害発生を示す災害情報を受信して、前記記憶装置から前記行動情報を取得し、取得した前記行動情報を前記無線端末装置へ送信し、前記情報配信装置は、前記無線端末装置の状態を示す端末情報を取得し、取得した前記端末情報に基づいて、前記行動情報の前記無線端末装置への送信動作を変更する。
【００１６】
このような構成により、無線端末装置のバッテリー残量が少ない状態等、無線端末装置の状態に応じた配信動作を行なうことができるため、ネットワークに接続して情報を取得する動作を抑制する必要がある場合に、行動情報の適切な配信動作を実現することができる。また、行動情報の提供側で配信動作を変更することができるため、無線端末装置が自己の状態に応じて自律的に行動情報の受信を制限する構成と比べて、配信すべき情報の取捨選択および配信動作の最適化等、より適切な処置を行なうことができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００１７】
（２）好ましくは、前記情報配信装置は、取得した前記端末情報に基づいて、前記記憶装置に記憶された前記行動情報のうちの一部または全部を選択し、選択した行動情報を前記無線端末装置へ送信する。
【００１８】
このような構成により、無線端末装置の状態に応じた適切な行動情報を選択して配信することができる。
【００１９】
（３）より好ましくは、前記情報配信装置は、取得した前記端末情報に基づいて、前記記憶装置に記憶された前記行動情報または前記行動情報の概要情報を選択し、選択した情報を前記無線端末装置へ送信する。
【００２０】
このような構成により、無線端末装置の状態に応じて、配信する行動情報のデータ量を調整することができる。
【００２１】
（４）好ましくは、前記情報配信装置は、前記行動情報を前記無線端末装置へ周期的に送信し、前記情報配信装置は、取得した前記端末情報に基づいて、前記行動情報の送信周期を調整する。
【００２２】
このような構成により、無線端末装置の状態に応じて、無線端末装置における行動情報の到着周期を調整することができる。
【００２３】
（５）より好ましくは、前記情報配信装置は、前記無線端末装置のバッテリーの状態を示す端末情報を取得し、前記情報配信装置は、前記無線端末装置のバッテリー残量が少ない場合、前記行動情報の送信周期を長く設定する。
【００２４】
このような構成により、無線端末装置のバッテリー残量が少ない場合に、行動情報の到着周期を長くして、無線端末装置の受信動作を抑制し、無線端末装置のバッテリー切れを抑制することができる。
【００２５】
（６）好ましくは、前記情報配信装置は、前記行動情報を前記無線端末装置へ周期的に送信し、前記情報配信装置は、取得した前記端末情報に基づいて、前記記憶装置に記憶された前記行動情報の重要度に応じた周期を設定し、設定した前記周期で対応の前記行動情報を前記無線端末装置へ送信する。
【００２６】
このような構成により、たとえば無線端末装置のバッテリー残量が少ない場合でも、重要な行動情報にはある程度短い更新周期を確保する等、行動情報の重要度に応じた送信周期の適切な設定が可能となる。
【００２７】
（７）好ましくは、前記情報配信装置は、取得した前記端末情報の示す状態が所定条件を満たす場合に前記行動情報の前記無線端末装置への送信動作を変更し、前記送信動作を変更した後、新たに取得した前記端末情報の示す状態が前記所定条件を満たさなくなると、前記送信動作を変更前に戻す。
【００２８】
このように、無線端末装置のバッテリー残量が回復する等、無線端末装置が正常な状態になった場合に通常時の送信動作に戻す構成により、無線端末装置の状態を考慮しながら、災害時における有用な情報の取得を支援することができる。
【００２９】
（８）上記課題を解決するために、この発明のある局面に係わる情報配信装置は、１または複数の無線端末装置と通信可能な情報配信装置であって、前記無線端末装置の状態を示す端末情報を取得する端末情報取得部と、災害発生を示す災害情報を受信して、災害発生時の行動に関する行動情報を記憶する記憶装置から前記行動情報を取得し、取得した前記行動情報を前記無線端末装置へ送信する行動情報配信部とを備え、前記行動情報配信部は、前記端末情報取得部によって取得された前記端末情報に基づいて、前記行動情報の前記無線端末装置への送信動作を変更する。
【００３０】
このような構成により、無線端末装置のバッテリー残量が少ない状態等、無線端末装置の状態に応じた配信動作を行なうことができるため、ネットワークに接続して情報を取得する動作を抑制する必要がある場合に、行動情報の適切な配信動作を実現することができる。また、行動情報の提供側で配信動作を変更することができるため、無線端末装置が自己の状態に応じて自律的に行動情報の受信を制限する構成と比べて、配信すべき情報の取捨選択および配信動作の最適化等、より適切な処置を行なうことができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００３１】
（９）上記課題を解決するために、この発明のある局面に係わる通信制御方法は、１または複数の無線端末装置と通信可能な情報配信装置における通信制御方法であって、災害発生を示す災害情報を受信して、災害発生時の行動に関する行動情報を記憶する記憶装置から前記行動情報を取得するステップと、取得した前記行動情報を前記無線端末装置へ送信するステップと、前記無線端末装置の状態を示す端末情報を取得するステップと、取得した前記端末情報に基づいて、前記行動情報の前記無線端末装置への送信動作を変更するステップとを含む。
【００３２】
このような構成により、無線端末装置のバッテリー残量が少ない状態等、無線端末装置の状態に応じた配信動作を行なうことができるため、ネットワークに接続して情報を取得する動作を抑制する必要がある場合に、行動情報の適切な配信動作を実現することができる。また、行動情報の提供側で配信動作を変更することができるため、無線端末装置が自己の状態に応じて自律的に行動情報の受信を制限する構成と比べて、配信すべき情報の取捨選択および配信動作の最適化等、より適切な処置を行なうことができる。また、行動情報は、災害自体の情報を含んでもよいが、災害自体の情報だけでなく、災害発生時における行動指針が得られるような情報である。これにより、災害発生時においてユーザに対してより有用な情報を提供することが可能となる。したがって、災害が発生した場合におけるネットワークからの情報取得を支援することができる。
【００３３】
以下、本発明の実施の形態について図面を用いて説明する。なお、図中同一または相当部分には同一符号を付してその説明は繰り返さない。
【００３４】
＜第１の実施の形態＞
［構成および基本動作］
図１は、本発明の実施の形態に係る無線通信システムの構成を示す図である。
【００３５】
図１を参照して、無線通信システム３０１は、管理装置１０１と、記憶装置１５１と、１または複数のゲートウェイ装置（情報配信装置）１１１と、１または複数の記憶装置１２１とを備える。なお、管理装置１０１は、記憶装置１５１を含む構成であってもよい。また、ゲートウェイ装置１１１は、記憶装置１２１を含む構成であってもよい。また、無線通信システム３０１は、管理装置１０１を複数備えてもよいし、記憶装置１５１を複数備えてもよい。また、図１では、無線通信システム３０１は、ゲートウェイ装置１１１および記憶装置１２１を２組備えているが、１組または３組以上を備える構成であってもよい。
【００３６】
ゲートウェイ装置１１１は、たとえば無線ＬＡＮのアクセスポイントであり、管理装置１０１とネットワーク２５１を介して接続され、１または複数の無線端末装置２０２および管理装置１０１間の通信を中継する。ゲートウェイ装置１１１は、ネットワーク２５１と有線接続または無線接続されている。
【００３７】
管理装置１０１は、ネットワーク２５１およびゲートウェイ装置１１１を介して複数の無線端末装置２０２と通信可能である。
【００３８】
ネットワーク２５１は、たとえば、３ＧＰＰ(Third Generation Partnership Project)で規格化されたＬＴＥ（Long Term Evolution）に従う移動体無線通信システム、またはＩＥＥＥ８０２．１１で規格化された無線ＬＡＮシステムを含む。
【００３９】
無線端末装置２０２は、ゲートウェイ装置１１１と無線信号を送受信することにより、ネットワーク２５１を介して管理装置１０１等の他の装置と通信可能である。
【００４０】
センサ１６１は、ネットワーク２５１における通信装置と有線通信または無線通信を行なうことにより、ネットワーク２５１を介して管理装置１０１等の他の装置と通信可能である。
【００４１】
なお、無線通信システム３０１は、センサ１６１に加えて、あるいはセンサ１６１の代わりに、何らかの情報を提供する装置を備える構成であってもよい。
【００４２】
記憶装置１５１は、管理装置１０１に接続されている。記憶装置１５１は、災害発生時の行動に関する行動情報のデータベースを記憶する。
【００４３】
記憶装置１２１は、ゲートウェイ装置１１１に接続され、上記行動情報のローカルデータベースを記憶する。
【００４４】
この行動情報は、無線端末装置２０２のユーザ本人の行動の指針となるもの、または医者等の他人の行動の指針となるものを含む。また、この行動情報は、災害発生の有無に関わらず、定期的または不定期に更新される。
【００４５】
具体的には、たとえば、管理装置１０１および記憶装置１５１は、市町村等のエリア単位で設けられており、記憶装置１５１は、避難所の情報等のハザードマップ、交通情報、被災状況および避難指示等の情報を記憶する。たとえば、ハザードマップは、平時に自治体が更新する。また、記憶装置１５１は、ウェブサイトの情報をデータ解析することで得られる情報を記憶してもよい。
【００４６】
また、記憶装置１５１は、災害発生前の情報を記憶してもよいし、災害発生後に各種情報を記憶してもよい。具体的には、たとえば、交通情報、近隣の病院および避難所等の位置情報、カルテ等の医療情報、天気予報および安否情報を記憶装置１５１に保存することが可能である。また、たとえば、災害発生からある程度の時間が経過した状態において、ツイッター（登録商標）およびフェイスブック（登録商標）等の情報をデータ解析することで得られる交通情報等を記憶装置１５１に保存することも可能である。
【００４７】
記憶装置１５１に保存する情報は、エリアごとに異なるものとすることが可能である。たとえば、災害発生からある程度の時間が経過した状態において、被災中心エリアでは、食料、電気およびガスなどの情報が保存される。また、被災中心からある程度離れたエリアでは、交通情報および近隣マップ等の情報が保存される。
【００４８】
図２は、本発明の実施の形態に係る無線通信システムによる行動情報の配信を示す図である。
【００４９】
図２を参照して、ゲートウェイ装置１１１は、災害発生を示す災害情報を受信して、記憶装置１２１から行動情報を取得し、取得した行動情報を各無線端末装置２０２に報知する。ゲートウェイ装置１１１は、災害発生を示す災害情報をたとえば管理装置１０１から受信する。
【００５０】
災害情報は、センサおよび地震の計測器等からの情報であってもよいし、災害情報をオペレータが手動で管理装置１０１に通知してもよい。
【００５１】
図３は、本発明の実施の形態に係る無線通信システムの平時における利用形態の一例を示す図である。
【００５２】
図３を参照して、センサ１６１は、電力使用量およびガス使用量等を測定し、測定結果を示すセンサ情報をネットワーク２５１経由で管理装置１０１へ送信する。
【００５３】
管理装置１０１は、センサ１６１から受信したセンサ情報を記憶装置１５１に保存する。
【００５４】
記憶装置１５１に保存されたセンサ情報は、公共サービスのデータ収集および分析等に利用される。
【００５５】
このように、平時において公共サービスのデータ収集を行なう構成により、記憶装置１５１を有効利用することができ、システムの汎用性を高めることができる。
【００５６】
図４は、本発明の実施の形態に係る無線通信システムにおける、無線端末装置による情報取得を示す図である。
【００５７】
図４を参照して、ゲートウェイ装置１１１は、無線端末装置２０２からの情報要求を受信して、当該情報要求の示す行動情報を記憶装置１２１のローカルデータベースから取得する。そして、ゲートウェイ装置１１１は、取得した行動情報を無線端末装置２０２へユニキャストする。
【００５８】
このように、ゲートウェイ装置１１１は、プッシュ型情報配信およびプル型情報配信の両方を行なうことが可能である。
【００５９】
これにより、ユーザは、災害発生後、たとえば、今後の生活に必要となる電気、ガスおよび食料等の情報を主体的に得ることができる。
【００６０】
図５は、本発明の実施の形態に係る無線通信システムにおける各装置のソフトウェア構成および管理制御の一例を示す図である。
【００６１】
［アクセスポイント］
図５を参照して、ゲートウェイ装置１１１は、通信部２０と、アプリケーション２１とを備える。通信部２０は、ＴＣＰ処理部２２と、ＩＰ処理部２３と、Ｅｔｈｅｒ  ＭＡＣ処理部２４と、Ｅｔｈｅｒ  ＰＨＹ処理部２５と、無線ＬＡＮ  ＭＡＣ処理部２６と、無線ＬＡＮ  ＰＨＹ処理部２７とを含む。
【００６２】
ゲートウェイ装置１１１は、階層化された複数のレイヤを有するプロトコルに従って動作する。ゲートウェイ装置１１１において、アプリケーション２１は、アプリケーションレイヤの処理を行なう。
【００６３】
ＴＣＰ処理部２２は、ＴＣＰレイヤの処理を行なう。ＩＰ処理部２３は、ＴＣＰレイヤよりも下位のＩＰレイヤの処理を行なう。Ｅｔｈｅｒ  ＭＡＣ処理部２４は、管理装置１０１との通信用であり、ＩＰレイヤよりも下位のイーサネット（登録商標）ＭＡＣレイヤの処理を行なう。Ｅｔｈｅｒ  ＰＨＹ処理部２５は、管理装置１０１との通信用であり、ＭＡＣレイヤよりも下位のイーサネットＰＨＹレイヤの処理を行なう。
【００６４】
無線ＬＡＮ  ＭＡＣ処理部２６は、無線端末装置２０２との通信用であり、ＩＰレイヤよりも下位の無線ＬＡＮ  ＭＡＣレイヤの処理を行なう。無線ＬＡＮ  ＰＨＹ処理部２７は、無線端末装置２０２との通信用であり、ＭＡＣレイヤよりも下位の無線ＬＡＮ  ＰＨＹレイヤの処理を行なう。
【００６５】
通信部２０は、無線端末装置２０２から通信信号を受信し、受信した通信信号をＩＰフレームに変換してアプリケーション２１へ出力する。
【００６６】
アプリケーション２１は、通信部２０から受けたＩＰフレームから端末情報を取得してたとえば記憶装置１２１のローカルデータベースに登録する。この端末情報には、無線端末装置２０２の状態を示す情報、たとえばバッテリー情報および通信品質が含まれる。
【００６７】
そして、たとえば、アプリケーション２１は、取得した端末情報に基づいて、無線端末装置２０２への配信情報の送信動作を変更するか否かを判断し、変更すると判断した場合、変更後の送信動作の内容を示す送信変更情報を通信部２０へ出力する。ここで、配信情報は、行動情報を少なくとも含む。
【００６８】
通信部２０は、アプリケーション２１から受けた送信変更情報に基づいて、配信情報の送信周期等を変更する。
【００６９】
また、たとえば、アプリケーション２１は、取得した端末情報に基づいて、配信情報の作成基準を変更することにより、配信情報の送信動作を変更する。
【００７０】
［無線端末装置］
無線端末装置２０２は、通信部３０と、アプリケーション３１と、センサ３６と、バッテリー３７とを備える。通信部３０は、ＴＣＰ処理部３２と、ＩＰ処理部３３と、無線ＬＡＮ  ＭＡＣ処理部３４と、無線ＬＡＮ  ＰＨＹ処理部３５とを含む。
【００７１】
無線端末装置２０２は、階層化された複数のレイヤを有するプロトコルに従って動作する。
【００７２】
アプリケーション３１は、アプリケーションレイヤの処理を行なう。アプリケーション３１は、たとえば、無線ＬＡＮ  ＭＡＣ処理部３４、無線ＬＡＮ  ＰＨＹ処理部３５、センサ３６またはバッテリー３７から無線端末装置２０２の状態を示す情報を取得し、これらの情報を含む端末情報を作成する。なお、アプリケーション３１は、たとえば、端末情報の作成および送信処理以外の他の処理を行なうことが可能である。
【００７３】
ＴＣＰ処理部３２は、アプリケーションレイヤよりも下位のＴＣＰレイヤの処理を行なう。ＩＰ処理部３３は、ＴＣＰレイヤよりも下位のＩＰレイヤの処理を行なう。無線ＬＡＮ  ＭＡＣ処理部３４は、ＩＰレイヤよりも下位のＭＡＣレイヤの処理を行なう。無線ＬＡＮ  ＰＨＹ処理部３５は、ＭＡＣレイヤよりも下位のＰＨＹレイヤの処理を行なう。
【００７４】
たとえば、無線ＬＡＮ  ＭＡＣ処理部３４または無線ＬＡＮ  ＰＨＹ処理部３５は、自己の無線端末装置２０２が受信するパケットのロス率、自己の無線端末装置２０２が送信するパケットの再送回数、および自己の無線端末装置２０２における無線信号の受信強度等を測定する。そして、無線ＬＡＮ  ＭＡＣ処理部３４または無線ＬＡＮ  ＰＨＹ処理部３５は、測定結果を示す測定情報をアプリケーション３１へ出力する。
【００７５】
また、センサ３６は、たとえば、自己の無線端末装置２０２の温度を検知し、検知結果をアプリケーション３１へ出力する。また、バッテリー３７は、たとえば蓄電残量を示す情報をアプリケーション３１へ出力する。
【００７６】
そして、アプリケーション３１は、作成した端末情報を通信部３０へ出力する。通信部３０は、アプリケーション３１から受けた端末情報を含む通信信号をゲートウェイ装置１１１のアプリケーション２１へ送信する。
【００７７】
また、通信部３０は、ゲートウェイ装置１１１から通信信号を受信して、当該通信信号をＩＰフレームに変換してアプリケーション３１へ出力する。
【００７８】
アプリケーション３１は、通信部３０から受けたＩＰフレームから、ゲートウェイ装置１１１のアプリケーション２１からの配信情報を取得する。そして、アプリケーション３１は、取得した配信情報の内容をユーザに提示する処理を行なう。
【００７９】
［管理装置］
管理装置１０１は、通信部１０と、アプリケーション１１とを備える。通信部１０は、ＴＣＰ処理部１２と、ＩＰ処理部１３と、Ｅｔｈｅｒ  ＭＡＣ処理部１４と、Ｅｔｈｅｒ  ＰＨＹ処理部１５とを含む。
【００８０】
管理装置１０１は、階層化された複数のレイヤを有するプロトコルに従って動作する。管理装置１０１において、アプリケーション１１は、アプリケーションレイヤの処理を行なう。
【００８１】
管理装置１０１において、ＴＣＰ処理部１２は、アプリケーションレイヤよりも下位のＴＣＰレイヤの処理を行なう。ＩＰ処理部１３は、ＴＣＰレイヤよりも下位のＩＰレイヤの処理を行なう。Ｅｔｈｅｒ  ＭＡＣ処理部１４は、ＩＰレイヤよりも下位のＭＡＣレイヤの処理を行なう。Ｅｔｈｅｒ  ＰＨＹ処理部１５は、ＭＡＣレイヤよりも下位のＰＨＹレイヤの処理を行なう。
【００８２】
通信部１０は、ゲートウェイ装置１１１経由で無線端末装置２０２から通信信号を受信し、受信した通信信号をＩＰフレームに変換してアプリケーション１１へ出力する。
【００８３】
アプリケーション１１は、通信部１０から受けたＩＰフレームから端末情報を取得してたとえば記憶装置１５１のデータベースに登録する。この端末情報には、たとえば、無線端末装置２０２の状態を示す情報、たとえばバッテリー情報および通信品質が含まれる。
【００８４】
図６は、本発明の実施の形態に係る無線通信システムにおけるゲートウェイ装置の構成を示す図である。
【００８５】
図６を参照して、ゲートウェイ装置１１１は、行動情報配信部５１と、端末情報取得部５２と、データベース更新部５３とを含む。
【００８６】
行動情報配信部５１は、災害発生を示す災害情報をたとえば管理装置１０１から受信して、記憶装置１２１のローカルデータベースから行動情報を取得する。行動情報配信部５１は、取得した行動情報を各無線端末装置２０２に報知するか、または取得した行動情報を無線端末装置２０２へユニキャストする。
【００８７】
たとえば、行動情報配信部５１は、記憶装置１２１に記憶された行動情報のうちの一部または全部を選択して取得する。
【００８８】
端末情報取得部５２は、無線端末装置２０２の状態を示す端末情報を取得する。たとえば、端末情報取得部５２は、無線端末装置２０２のバッテリー３７の状態または無線端末装置２０２の通信品質を示す端末情報を取得する。
【００８９】
行動情報配信部５１は、端末情報取得部５２によって取得された端末情報に基づいて、行動情報の当該無線端末装置２０２への送信動作を変更する。
【００９０】
データベース更新部５３は、定期的または不定期に記憶装置１２１のローカルデータベースを記憶装置１５１のデータベースと同期させ、ローカルデータベースの情報を更新する。たとえば、データベース更新部５３は、定期的または不定期に更新情報要求を管理装置１０１へ送信する。データベース更新部５３は、管理装置１０１から受信した更新情報等に基づいて、記憶装置１２１のローカルデータベースを更新する。
【００９１】
［動作］
次に、本発明の実施の形態に係る無線通信システムによる情報配信について図面を用いて説明する。
【００９２】
無線通信システム３０１における各装置は、以下のフローチャートおよびシーケンスの各ステップを含むプログラムを図示しないメモリから読み出して実行する。このプログラムは、外部からインストールすることができる。
【００９３】
図７は、本発明の実施の形態に係るゲートウェイ装置が情報配信を行なう際の動作手順の一例を定めたフローチャートである。
【００９４】
ゲートウェイ装置１１１は、災害発生を示す災害情報を受信して、記憶装置１２１から行動情報を取得し、取得した行動情報を無線端末装置２０２へ送信する。ゲートウェイ装置１１１は、無線端末装置２０２の状態を示す端末情報を取得し、取得した端末情報に基づいて、行動情報の当該無線端末装置２０２への送信動作を変更する。
【００９５】
また、たとえば、ゲートウェイ装置１１１は、取得した端末情報に基づいて、記憶装置１２１に記憶された行動情報のうちの一部または全部を選択し、選択した行動情報を当該無線端末装置２０２へ送信する。
【００９６】
また、たとえば、ゲートウェイ装置１１１は、取得した端末情報の示す状態が所定条件を満たす場合に行動情報の無線端末装置２０２への送信動作を変更し、送信動作を変更した後、新たに取得した端末情報の示す状態が上記所定条件を満たさなくなると、送信動作を変更前に戻す。
【００９７】
具体的には、図７を参照して、まず、ゲートウェイ装置１１１は、災害情報を受信していない状態において、管理装置１０１から災害情報を受信すると（ステップＳ１でＹＥＳ）、記憶装置１２１のローカルデータベースから配信情報を取得する（ステップＳ２）。
【００９８】
次に、ゲートウェイ装置１１１は、取得した配信情報を無線端末装置２０２へブロードキャストする（ステップＳ３）。
【００９９】
次に、ゲートウェイ装置１１１は、無線端末装置２０２から情報要求を受信すると（ステップＳ４でＹＥＳ）、ローカルデータベースから当該情報要求に対応する配信情報を取得し（ステップＳ５）、当該無線端末装置２０２へユニキャストする（ステップＳ６）。
【０１００】
次に、ゲートウェイ装置１１１は、無線端末装置２０２から端末情報を受信すると（ステップＳ７でＹＥＳ）、当該端末情報に基づいて、当該無線端末装置２０２への配信情報の送信動作設定を変更するか否かを判断し、変更すると判断した場合、送信動作設定を変更する（ステップＳ８）。
【０１０１】
次に、ゲートウェイ装置１１１は、当該無線端末装置２０２から情報要求を受信すると（ステップＳ４でＹＥＳ）、新たな送信動作設定に従い、ローカルデータベースから当該情報要求に対応する配信情報を取得し（ステップＳ５）、当該無線端末装置２０２へユニキャストする（ステップＳ６）。
【０１０２】
なお、ゲートウェイ装置１１１は、配信情報をブロードキャストする構成に限らず、マルチキャストする構成であってもよい。
【０１０３】
また、ゲートウェイ装置１１１は、管理装置１０１から災害情報を取得する構成に限らず、他の方法で災害情報を取得する構成であってもよい。
【０１０４】
図８は、本発明の実施の形態に係るゲートウェイ装置が送信動作設定の変更を行なう際の動作手順の一例を定めたフローチャートである。
【０１０５】
ゲートウェイ装置１１１は、取得した端末情報に基づいて、記憶装置１２１に記憶された行動情報または行動情報の概要情報を選択し、選択した情報を当該無線端末装置２０２へ送信する。
【０１０６】
また、たとえば、ゲートウェイ装置１１１は、無線端末装置２０２のバッテリー残量が少ない場合に行動情報の当該無線端末装置２０２への送信動作を変更し、送信動作を変更した後、当該無線端末装置２０２のバッテリー残量が回復すると、送信動作を変更前に戻す。
【０１０７】
具体的には、図８を参照して、ゲートウェイ装置１１１は、たとえば、無線端末装置２０２から受信した端末情報がバッテリーの状態を示しており、無線端末装置２０２のバッテリー残量が所定の閾値以上である場合（ステップＳ１１でＮＯ）、通常の送信モードを選択する。すなわち、ゲートウェイ装置１１１は、記憶装置１２１のローカルデータベースから情報要求に対応する行動情報を取得し、取得した行動情報を無線端末装置２０２へユニキャストする。たとえば、この行動情報は、画像等のオブジェクトが付加されたＷｅｂページの情報である（ステップＳ１３）。
【０１０８】
一方、ゲートウェイ装置１１１は、無線端末装置２０２のバッテリー残量が所定の閾値未満である場合（ステップＳ１１でＹＥＳ）、概要情報の送信モードを選択する。すなわち、ゲートウェイ装置１１１は、記憶装置１２１のローカルデータベースから情報要求に対応する行動情報を取得し、取得した行動情報の概要情報を作成して無線端末装置２０２へユニキャストする。たとえば、この概要情報は、対応の行動情報から画像等のオブジェクトを削除したテキストベースのＷｅｂページの情報である（ステップＳ１２）。
【０１０９】
なお、無線端末装置２０２は、ゲートウェイ装置１１１から行動情報の概要情報を受信した後、対応の行動情報をゲートウェイ装置１１１に要求することも可能である。
【０１１０】
図９は、本発明の実施の形態に係るゲートウェイ装置が送信動作設定の変更を行なう際の動作手順の一例を定めたフローチャートである。
【０１１１】
ゲートウェイ装置１１１は、行動情報を無線端末装置２０２へ周期的に送信する。そして、ゲートウェイ装置１１１は、取得した端末情報に基づいて、行動情報の送信周期を調整する。
【０１１２】
たとえば、ゲートウェイ装置１１１は、無線端末装置２０２のバッテリー３７の状態を示す端末情報を取得する。ゲートウェイ装置１１１は、無線端末装置２０２のバッテリー残量が少ない場合、行動情報の送信周期を長く設定する。
【０１１３】
また、たとえば、ゲートウェイ装置１１１は、取得した端末情報に基づいて、記憶装置１２１に記憶された行動情報の重要度に応じた周期を設定し、設定した周期で対応の行動情報を無線端末装置２０２へ送信する。
【０１１４】
具体的には、図９を参照して、ゲートウェイ装置１１１は、たとえば、無線端末装置２０２から受信した端末情報がバッテリーの状態を示しており、無線端末装置２０２のバッテリー残量が所定の閾値以上である場合（ステップＳ２１でＮＯ）、通常の送信周期Ｔｎを選択する。すなわち、ゲートウェイ装置１１１は、記憶装置１２１のローカルデータベースから情報要求に対応する行動情報を取得し、取得した行動情報を無線端末装置２０２へユニキャストする動作を送信周期Ｔｎで繰り返す（ステップＳ２４）。
【０１１５】
一方、ゲートウェイ装置１１１は、無線端末装置２０２のバッテリー残量が所定の閾値未満である場合であって（ステップＳ２１でＹＥＳ）、無線端末装置２０２からの情報要求に対応する行動情報の重要度が所定の閾値未満である場合（ステップＳ２２でＹＥＳ）、省電力用の送信周期Ｔｓを選択する。すなわち、ゲートウェイ装置１１１は、記憶装置１２１のローカルデータベースから情報要求に対応する行動情報を取得し、取得した行動情報を無線端末装置２０２へユニキャストする動作を送信周期Ｔｓで繰り返す。ここで、Ｔｎ＜Ｔｓである。すなわち、ゲートウェイ装置１１１は、無線端末装置２０２のバッテリー残量が少なく、かつ送信すべき行動情報の重要度が高くない場合、行動情報の送信周期を通常時と比べて長く設定する（ステップＳ２３）。
【０１１６】
また、ゲートウェイ装置１１１は、無線端末装置２０２のバッテリー残量が所定の閾値未満である場合であって（ステップＳ２１でＹＥＳ）、無線端末装置２０２からの情報要求に対応する行動情報の重要度が所定の閾値以上である場合（ステップＳ２２でＮＯ）、通常の送信周期Ｔｎを選択する。すなわち、ゲートウェイ装置１１１は、無線端末装置２０２のバッテリー残量が少ない場合であっても、送信すべき行動情報の重要度が高い場合、行動情報の送信周期を長く設定することは避ける（ステップＳ２４）。
【０１１７】
なお、ゲートウェイ装置１１１は、送信周期を２段階で設定する構成に限らず、行動情報の重要度に応じて、送信周期を段階的に設定する構成であってもよい。
【０１１８】
また、ゲートウェイ装置１１１において、図８および図９に示す動作を組み合わせることも可能である。すなわち、ゲートウェイ装置１１１は、無線端末装置２０２からの端末情報に基づいて、行動情報の送信周期および行動情報の内容の両方を変更してもよい。
【０１１９】
図１０は、本発明の実施の形態に係る無線通信システムにおける情報配信のシーケンスの一例を示す図である。
【０１２０】
図１０を参照して、まず、図示しない災害検知装置は、災害発生を検知すると（ステップＳ３１）、災害情報を管理装置１０１へ送信する（ステップＳ３２）。
【０１２１】
次に、管理装置１０１は、災害検知装置から受信した災害情報をゲートウェイ装置１１１へ送信する（ステップＳ３３）。
【０１２２】
次に、ゲートウェイ装置１１１は、管理装置１０１から災害情報を受信して、配信情報を無線端末装置２０２へブロードキャストする（ステップＳ３４）。
【０１２３】
次に、センサ１６１は、たとえば新たな測定結果が得られたことにより、センサ情報を管理装置１０１へ送信する（ステップＳ３５）。
【０１２４】
次に、管理装置１０１は、センサ１６１から新たなセンサ情報を受信して、当該センサ情報の内容に基づいて更新情報を作成し、ゲートウェイ装置１１１へ送信する（ステップＳ３６）。
【０１２５】
また、管理装置１０１は、更新情報に基づいて記憶装置１５１のデータベースを更新する（ステップＳ３７）。
【０１２６】
次に、ゲートウェイ装置１１１は、管理装置１０１から受信した更新情報に基づいて配信情報を作成し、無線端末装置２０２へブロードキャストする（ステップＳ３８）。
【０１２７】
また、ゲートウェイ装置１１１は、更新情報に基づいて記憶装置１２１のローカルデータベースを更新する（ステップＳ３９）。
【０１２８】
次に、無線端末装置２０２は、ある情報の配信を要求する旨を示す情報要求をゲートウェイ装置１１１へ送信する（ステップＳ４０）。
【０１２９】
次に、ゲートウェイ装置１１１は、ローカルデータベースから当該情報要求に対応する配信情報を取得し、当該無線端末装置２０２へユニキャストする動作を、たとえば通常の送信周期Ｔｎで繰り返す（ステップＳ４１，Ｓ４２）。
【０１３０】
次に、無線端末装置２０２は、端末情報をゲートウェイ装置１１１へ送信する。なお、無線端末装置２０２は、端末情報を定期的に送信する構成であってもよいし、自己の状態が変わった場合に送信する構成であってもよい（ステップＳ４３）。
【０１３１】
次に、ゲートウェイ装置１１１は、無線端末装置２０２から受信した端末情報に基づいて、配信情報の送信動作を変更するか否かを判断し、変更すると判断した場合、送信動作設定を変更する。たとえば、ゲートウェイ装置１１１は、配信情報の送信周期をＴｎからＴｓへ変更する（ステップＳ４４）。
【０１３２】
次に、ゲートウェイ装置１１１は、ローカルデータベースから当該情報要求に対応する配信情報を取得し、当該無線端末装置２０２へユニキャストする動作を、省電力用の送信周期Ｔｓで繰り返す（ステップＳ４５，Ｓ４６）。
【０１３３】
なお、本発明の実施の形態に係る無線通信システムでは、ゲートウェイ装置１１１が、行動情報を各無線端末装置２０２へブロードキャストした後、行動情報を無線端末装置２０２へユニキャストする構成であるとしたが、これに限定するものではない。ゲートウェイ装置１１１は、行動情報を各無線端末装置２０２へブロードキャストした後、行動情報を複数の無線端末装置２０２へマルチキャストする構成であってもよい。具体的には、たとえば、ゲートウェイ装置１１１は、各無線端末装置２０２から受信した端末情報に基づいて、バッテリー残量に応じて無線端末装置２０２をグループ分けし、送信すべき情報の内容および送信周期等をグループごとに設定する。
【０１３４】
また、本発明の実施の形態に係る無線通信システムでは、ゲートウェイ装置１１１が、災害情報を受信し、行動情報を各無線端末装置２０２へブロードキャストした後、行動情報を複数の無線端末装置２０２へマルチキャストする構成であるとしたが、これに限定するものではない。ゲートウェイ装置１１１は、災害情報を受信した後、行動情報をブロードキャストすることなく、行動情報を無線端末装置２０２へユニキャストする構成であってもよい。
【０１３５】
ところで、Ｍ２Ｍシステム等の通信システムを利用するユーザは、地震等の災害が発生した場合、各種情報を取得するために、たとえば所有する無線端末装置を用いてネットワークに接続しようとする。しかしながら、無線端末装置の状態によっては、ネットワークからの情報を取得する動作を抑制する必要がある。たとえば、災害時には無線端末装置のバッテリーを充電することが困難な場合が多く、無線端末装置のバッテリー残量が少ない状態において無理に情報取得動作を行なわせると、無線端末装置のバッテリー切れによって情報入手等ができなくなってしまう。
【０１３６】
これに対して、本発明の実施の形態に係る無線通信システムでは、記憶装置１２１は、ゲートウェイ装置１１１に接続され、災害発生時の行動に関する行動情報を記憶する。ゲートウェイ装置１１１は、災害発生を示す災害情報を受信して、記憶装置１２１から行動情報を取得し、取得した行動情報を無線端末装置２０２へ送信する。そして、ゲートウェイ装置１１１は、無線端末装置２０２の状態を示す端末情報を取得し、取得した端末情報に基づいて、行動情報の当該無線端末装置２０２への送信動作を変更する。
【０１３７】
また、本発明の実施の形態に係るゲートウェイ装置では、端末情報取得部５２は、無線端末装置２０２の状態を示す端末情報を取得する。行動情報配信部５１は、災害発生を示す災害情報を受信して、災害発生時の行動に関する行動情報を記憶する記憶装置１２１から行動情報を取得し、取得した行動情報を当該無線端末装置２０２へ送信する。そして、行動情報配信部５１は、端末情報取得部５２によって取得された端末情報に基づいて、行動情報の当該無線端末装置２０２への送信動作を変更する。
【０１３８】
このような構成により、無線端末装置２０２のバッテリー残量が少ない状態等、無線端末装置２０２の状態に応じた配信動作を行なうことができるため、ネットワークに接続して情報を取得する動作を抑制する必要がある場合に、行動情報の適切な配信動作を実現することができる。また、行動情報の提供側で配信動作を変更することができるため、無線端末装置２０２が自己の状態に応じて自律的に行動情報の受信を制限する構成と比べて、配信すべき情報の取捨選択および配信動作の最適化等、より適切な処置を行なうことができる。
【０１３９】
また、行動情報は、災害自体の情報を含んでもよいが、災害自体の情報だけでなく、災害発生時における行動指針が得られるような情報である。これにより、災害発生時においてユーザに対してより有用な情報を提供することが可能となる。
【０１４０】
したがって、本発明の実施の形態に係る無線通信システムおよびゲートウェイ装置では、災害が発生した場合におけるネットワークからの情報取得を支援することができる。
【０１４１】
また、本発明の実施の形態に係る無線通信システムでは、ゲートウェイ装置１１１は、取得した端末情報に基づいて、記憶装置１２１に記憶された行動情報のうちの一部または全部を選択し、選択した行動情報を当該無線端末装置２０２へ送信する。
【０１４２】
このような構成により、無線端末装置２０２の状態に応じた適切な行動情報を選択して配信することができる。
【０１４３】
また、本発明の実施の形態に係る無線通信システムでは、ゲートウェイ装置１１１は、取得した端末情報に基づいて、記憶装置１２１に記憶された行動情報または行動情報の概要情報を選択し、選択した情報を当該無線端末装置２０２へ送信する。
【０１４４】
このような構成により、無線端末装置２０２の状態に応じて、配信する行動情報のデータ量を調整することができる。
【０１４５】
また、本発明の実施の形態に係る無線通信システムでは、ゲートウェイ装置１１１は、行動情報を無線端末装置２０２へ周期的に送信する。そして、ゲートウェイ装置１１１は、取得した端末情報に基づいて、行動情報の送信周期を調整する。
【０１４６】
このような構成により、無線端末装置２０２の状態に応じて、無線端末装置２０２における行動情報の到着周期を調整することができる。
【０１４７】
また、本発明の実施の形態に係る無線通信システムでは、ゲートウェイ装置１１１は、無線端末装置２０２のバッテリー３７の状態を示す端末情報を取得する。そして、ゲートウェイ装置１１１は、無線端末装置２０２のバッテリー残量が少ない場合、行動情報の送信周期を長く設定する。
【０１４８】
このような構成により、無線端末装置２０２のバッテリー残量が少ない場合に、行動情報の到着周期を長くして、無線端末装置２０２の受信動作を抑制し、無線端末装置２０２のバッテリー切れを抑制することができる。
【０１４９】
また、本発明の実施の形態に係る無線通信システムでは、ゲートウェイ装置１１１は、行動情報を無線端末装置２０２へ周期的に送信する。そして、ゲートウェイ装置１１１は、取得した端末情報に基づいて、記憶装置１２１に記憶された行動情報の重要度に応じた周期を設定し、設定した周期で対応の行動情報を無線端末装置２０２へ送信する。
【０１５０】
このような構成により、たとえば無線端末装置２０２のバッテリー残量が少ない場合でも、重要な行動情報にはある程度短い更新周期を確保する等、行動情報の重要度に応じた送信周期の適切な設定が可能となる。
【０１５１】
また、本発明の実施の形態に係る無線通信システムでは、ゲートウェイ装置１１１は、取得した端末情報の示す状態が所定条件を満たす場合に行動情報の無線端末装置２０２への送信動作を変更し、送信動作を変更した後、新たに取得した端末情報の示す状態が上記所定条件を満たさなくなると、送信動作を変更前に戻す。
【０１５２】
このように、無線端末装置２０２のバッテリー残量が回復する等、無線端末装置２０２が正常な状態になった場合に通常時の送信動作に戻す構成により、無線端末装置２０２の状態を考慮しながら、災害時における有用な情報の取得を支援することができる。
【０１５３】
なお、本発明の実施の形態に係る無線通信システムでは、ゲートウェイ装置１１１が、無線端末装置２０２から受信した端末情報に基づいて、行動情報の無線端末装置２０２への送信動作を変更する構成であるとしたが、これに限定するものではない。管理装置１０１が、情報配信装置として、記憶装置１５１のデータベースから行動情報を取得して無線端末装置２０２へ送信し、無線端末装置２０２から受信した端末情報に基づいて、行動情報の無線端末装置２０２への送信動作を変更する構成であってもよい。この場合、たとえば図５に示す構成では、アプリケーション２１と同様の動作をアプリケーション１１が行い、通信部２０と同様の動作を通信部１０が行なう。このような管理装置１０１は、たとえばゲートウェイ装置１１１および記憶装置１２１を備えない無線通信システムにも適用可能である。
【０１５４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１５５】
１０，２０，３０  通信部
１１，２１，３１  アプリケーション
１２，２２，３２  ＴＣＰ処理部
１３，２３，３３  ＩＰ処理部
１４，２４  Ｅｔｈｅｒ  ＭＡＣ処理部
１５，２５  Ｅｔｈｅｒ  ＰＨＹ処理部
２６，３４  無線ＬＡＮ  ＭＡＣ処理部
２７，３５  無線ＬＡＮ  ＰＨＹ処理部
５１  行動情報配信部
５２  端末情報取得部
５３  データベース更新部
１０１  管理装置（情報配信装置）
１１１  ゲートウェイ装置（情報配信装置）
１２１，１５１  記憶装置
１６１  センサ
２０２  無線端末装置
２５１  ネットワーク
３０１  無線通信システム
【図１】
2014192891.tif 000003
【図２】
2014192891.tif 000004
【図３】
2014192891.tif 000005
【図４】
2014192891.tif 000006
【図５】
2014192891.tif 000007
【図６】
2014192891.tif 000008
【図７】
2014192891.tif 000009
【図８】
2014192891.tif 000010
【図９】
2014192891.tif 000011
【図１０】
2014192891.tif 000012